(57)【要約】      （修正有）【課題】手に障害のある方や、握る力の弱い方が、より楽に傘の開閉をし、その状態を維持する事が出来る傘を提供する。【解決手段】傘Ａは、一端に石突き１１が設けられ、他端に握柄１が取付けられた軸棒４を有し、石突き側の軸棒には親骨１０を取付けた上ろくろ１２が設けられ、上ろくろと握柄との間には下ろくろ８が摺動自在に設けられ、下ろくろには、親骨に連結される受骨９が設けられ、握柄には軸受部２が設けられ、軸受部には一端側に、下ろくろに係止する２つの凸部５、６と他端側に握り部７を有する操作部材が中央部を支点にして揺動自在に支持されている。【選択図】図３
0003201077.tif 000002
【実用新案登録請求の範囲】
【請求項１】
一端に石突きが設けられ、他端に握柄が取付けられた軸棒と、前記石突き側の軸棒には親骨が取付けられた上ろくろが設けられるとともに、この上ろくろと前記握柄との間には下ろくろが摺動自在に設けられ、該下ろくろには、前記親骨に連結される受骨が設けられた傘において、前記握柄には軸受部が設けられており、該軸受部には一端側に、前記下ろくろを係止する二つの凸部と他端側に握り部を有する操作部材の中央部が揺動自在に支持されていることを特徴とする傘。
【請求項２】
一端に石突きが設けられ、他端に握柄が取付けられた軸棒と、前記石突き側の軸棒には親骨取付けられた上ろくろが設けられるとともに、この上ろくろと前記握柄との間には下ろくろが摺動自在に設けられ、該下ろくろには、前記親骨に連結される受骨が設けられた傘において、前記下ろくろには軸受部が設けられており、該軸受部には一端側に前記軸棒に形成された凹部に係止する凸部と他端側に握り部を有する操作部材の中央部が揺動自在に支持されていることを特徴とする傘。
【考案の詳細な説明】
【技術分野】
【０００１】
手に障害のある方や、指先の力や手の弱い方、あるいは高齢者などに扱いやすく楽に開閉出来る傘に関するものである。
【背景技術】
【０００２】
従来からある傘（例えば公開特許2003-135117号公報参照）の開閉は握柄近くにある小さなボタンを押して開いたりしている。しかしながら手に障害のある方、指先の力や手の弱い方、あるいは高齢者などにはその扱いが困難であったため、傘を完全に開かず歩くなどがあった。
【先行技術文献】
【特許文献】
【０００３】
公開時許2003-135117号公報
【考案の概要】
【考案が解決しようとする課題】
【０００４】
従来からある傘の開閉は握柄近くにある小さなボタンを押して開いたりしている構成になっており、手に障害のある方、指先の力や手の弱い方、あるいは高齢者などにはその扱いが困難であったため、手に障害のある方や、指先の力や手の弱い方などが握る、つまむ事により、より楽に傘の開閉をし、開または閉の状態を維持する事が出来る傘を提供する事が課題。
【課題を解決するための手段】
【０００５】
前記課題を解決するために本考案においては、一端に石突きが設けられ、他端に握柄が取付けられた軸棒と、前記石突き側の軸棒には親骨が取付けられた上ろくろが設けられるとともに、この上ろくろと前記握柄との間には下ろくろが摺動自在に設けられ、該下ろくろには、前記親骨に連結される受骨が設けられた傘において、前記握柄には軸受部が設けられており、該軸受部には一端側に、前記下ろくろに係止する２つの凸部と他端側に握り部を有する操作部材の中央部が揺動自在に支持されていることを特徴とする。
【０００６】
また、本考案においては、他端に握柄が取付けられた軸棒と前記石突き側の軸棒には親骨が取付けられた上ろくろが設けられるとともに、この上ろくろと前記握柄との間には下ろくろが摺動自在に設けられ、該下ろくろには、前記親骨に連結される受骨が設けられた傘において、前記下ろくろには軸受部が設けられており、該軸受部には一端側に前記軸棒に形成された凹部に係止する凸部と他端側に握り部を有する操作部材の中央部が揺動自在に支持されていることを特徴とする。
【考案の効果】
【０００７】
手に障害のある方、指先の力や手の弱い方、あるいは高齢者など操作部材を単に握るだけで開閉が軽減となり、健常者の使用も可能である。
【図面の簡単な説明】
【０００８】
【図１】本考案の第一実施例に係る操作部材の取付け部分を示す側面説明図。
【図２】本考案の第一実施例の操作部材の取付けを示す側面説明図。
【図３】本考案の第一実施例に係る傘の開閉摺動途中状態での構成を示す側面説明図。
【図４】本考案の第一実施例に係る傘の開いた状態での構成を示す側面説明図。
【図５】本考案の第一実施例に係る傘の閉じた状態での構成を示す側面説明図.
【図６】本考案の第二実施例に係る操作部材の取付け部分を示す側面説明図。
【図７】本考案の第二実施例の操作部材の取付けを示す側面説明図。
【図８】本考案の第二実施例に係る傘の開閉摺動途中状態での構成を示す側面説明図。
【図９】本考案の第二実施例に係る傘の開いた状態での構成を示す側面説明図。
【図１０】本考案の第二実施例に係る傘の閉じた状態での構成を示す側面説明図。
【考案を実施するための形態】
【実施例】
【０００９】
以下、本考案に係る傘の第一実施例について図１から図５に基づいて説明する。
【００１０】
傘Ａの構成は軸棒4の一端に石突き11が設けられており、他端には握柄1が設けられ、前記石突き11側の軸棒4には親骨10の取付けられた上ろくろ12が設けられるとともに、軸棒4には石突き11と握柄1との間に下ろくろ8が摺動自在に設けられ、下ろくろ8には、親骨10に連結される受骨9が設けられている。
【００１１】
次に、傘Ａの握柄１と操作部材Ｋとの取り付け構造について図１に基づいて説明する。
【００１２】
円弧上のベース部２aより起立する側壁部2bには穴30が形成されており、内部にはバネ3が設けられた軸受部2が握柄に例えばビス（不図示）で固定されている。
【００１３】
傘Ａの操作部材Ｋの取り付け構成について図２に基づいて説明する。
【００１４】
前記図1の軸受部2の穴30と同様に操作部材Ｋにも穴40が設けられており、軸受部2の穴30と操作部材Ｋの穴40とバネ3を合わせ、シャフト31で留められている。
【００１５】
傘Ａの開閉可動途中状態での作用について図３に基づいて説明する。
【００１６】
操作する人が傘Ａを持って操作部材Ｋの握部7と握柄1を同時に握ることにより操作部材Ｋに設けられた上凸部6と下部凸部５が軸棒4より揺動することにより下ろくろ8の摺動が可能となり、下ろくろ8と結合された受骨9が下ろくろ8と同時に摺動することにより受骨9と連結される親骨10が同時に可動することにより傘Ａの開閉ができる。    
【００１７】
傘Ａの開く状態での作用について図４に基づいて説明する。
【００１８】
操作する人が傘Ａを持って操作部材Ｋの握部7と握柄1を同時に握ることにより操作部材Ｋが軸棒4より揺動し、下ろくろ8を石突き11側へ摺動することにより傘Ａを開き、下ろくろ8を上部凸部６で支持することにより、下ろくろ8と結合された受骨9が広がった状態で固定されることにより連結される親骨10も同時に広がり、傘Ａを開いた状態が維持される。
【００１９】
次に上記説明した傘Ａの開いた状態から閉じる際の作用について図５に基づいて説明する。
【００２０】
操作する人が傘Ａを持って操作部材Ｋの握部7と握柄1を同時に握ることにより操作部材Ｋが軸棒4より揺動し、下ろくろ8を握柄1側へ摺動することにより傘Ａを閉じ、下部凸部５が下ろくろ8の摺動を係止することにより、下ろくろ8と結合された受骨9が閉じた状態で固定されることにより連結される親骨10も同時に閉じ、傘Ａを閉じた状態が維持される。
【００２１】
第二実施例について図６から図１０に基づいて説明する。
【００２２】
傘Ｂの構成については前記第一実施例で説明した傘Ａと同じであるが傘Ｂが折り畳み式の場合においては折り畳み時に親骨24に連結される露先27が握柄20に収納されることを追加する。
【００２３】
次に、傘Ｂの握柄20と操作部材Ｐとの取り付け構造について図６に基づいて説明する。
【００２４】
円弧上のベース部15aより起立する側壁部15bには穴28の形成されており、内部にはバネ16が設けられた軸受部15が下ろくろ14に例えばビス（不図示）で固定されている。
【００２５】
傘Ｂの操作部材Ｋの取り付け構成について図７に基づいて説明する。
【００２６】
前記図６の軸受部15の穴28と同様に操作部材Ｐにも穴41が設けられており、軸受部15の穴28と操作部材Ｐの穴41とバネ16を合わせ、シャフト29で留められている。
【００２７】
傘Ｂの開閉可動途中状態での作用について図８に基づいて説明する。
【００２８】
操作する人が傘Ｂを持って操作部材Ｐの操作部材つまみ部17と下ろくろ14を同時につまむことにより軸棒31に設けた上凹部21または下凹部22より操作部材先端18が揺動突出することにより下ろくろ14の摺動が可能となり、下ろくろ14と結合された受骨23が下ろくろ14と同時に摺動することにより受骨23と連結される親骨24が同時に可動することにより傘Ｂの開閉ができる。摺動の際、操作部材先端１8の内側に設けたベアリング１9の働きにより軸棒13上をスムーズに摺動することができる。
【００２９】
傘Ｂの開く状態での作用について図９に基づいて説明する。
【００３０】
操作する人が傘Ｂを持って操作部材Ｐの操作部材つまみ部17と下ろくろ14を同時につまむことにより、操作部材先端18が下凹部22より揺動突出し下ろくろ14と操作部材先端18が軸棒31に沿って石突き26側へ摺動することにより傘Ｂを開き、操作部材Ｋ先端18を軸棒13に設けた上凹部21に突入係止することにより、下ろくろ14を支持する。支持された下ろくろ14と結合された受骨23が広がった状態で固定されることにより連結される親骨24も同時に広がり、傘Ｂを開いた状態が維持される。
【００３１】
次に上記説明した傘Ｂの開いた状態から閉じる際の作用について図１０に基づいて説明する。
【００３２】
操作する人が傘Ｂを持って操作部材Ｐの操作部材つまみ部17と下ろくろ14を同時につまむことにより、操作部材先端18が上凹部21より揺動突出し下ろくろ14と操作部材先端18が軸棒31に沿って握柄20側へ摺動することにより傘Ｂを閉じ、操作部材Ｋ先端18を軸棒13に設けた下凹部22に突入係止することにより、下ろくろ14と結合された受骨23が閉じた状態で固定されることにより連結される親骨24も同時に閉じ、傘Ｂを閉じた状態が維持される。なお、傘Ｂが折畳みの場合では、露先20が握柄に入り閉じた状態が維持されるため、操作部材Ｐと上凹部21のみ設けることで実施可能となる。
【符号の説明】
【００３３】
A,B   傘
K,P   操作部材
1,20     握柄
2,15     軸受部
3,16     バネ
4,13     軸棒
5        下凸部
6        上凸部
7        握り部
8,14     下ろくろ
9,23      受骨
10,24     親骨
11,26     石突き
12,25     上ろくろ
31,29     シャフト
17        操作部材つまみ部
18        操作部材先端
19        ベアリング
21        上凹部
22        下凹部
27        露先
30,28,40,41 穴
【図１】
0003201077.tif 000003
【図２】
0003201077.tif 000004
【図３】
0003201077.tif 000005
【図４】
0003201077.tif 000006
【図５】
0003201077.tif 000007
【図６】
0003201077.tif 000008
【図７】
0003201077.tif 000009
【図８】
0003201077.tif 000010
【図９】
0003201077.tif 000011
【図１０】
0003201077.tif 000012